(57)【要約】【課題】レーザ溶着した溶着面部が露見することを防止するための着色領域等の低透光領域を備える部材をレーザ光により溶着することを可能にしたレーザ溶着構造体を提供する。【解決手段】第１の樹脂部材（ランプボディ）２と、一部に透光率の低い低透光領域（着色領域）３ｂを一体に有する透光性のある第２の樹脂部材（正面カバー）３とをレーザ溶着したレーザ溶着構造体（ランプハウジング）１であり、第１の樹脂部材２と第２の樹脂部材３を溶着した溶着面部２ａが低透光領域３ｂの背後に配置され、第２の樹脂部材３は低透光領域３ｂ以外の領域に照射されたレーザ光を当該溶着面部２ａにまで導光する溶着脚３１（３２〜３５）を一体に備える【選択図】  図２
2016213008.tif 000002
【特許請求の範囲】
【請求項１】
第１の樹脂部材と、一部に透光率の低い低透光領域を一体に有する透光性のある第２の樹脂部材とをレーザ溶着したレーザ溶着構造体であって、前記第１の樹脂部材と前記第２の樹脂部材を溶着した溶着面部が前記低透光領域の背後に配置され、前記第２の樹脂部材は前記低透光領域以外の領域に照射されたレーザ光を当該溶着面部にまで導光する溶着脚を一体に備えていることを特徴とするレーザ溶着構造体。
【請求項２】
前記溶着脚は、一部の面部において前記溶着面部に当接され、当該溶着面部にまで導光されたレーザ光により前記面部において溶着される請求項１に記載のレーザ溶着構造体。
【請求項３】
前記レーザ溶着構造体はランプボディと正面カバーで構成されるランプハウジングであり、前記第１の樹脂部材は正面が開口されたランプボディであり、前記第２の樹脂部材は当該ランプボディの開口縁部に溶着される正面カバーである請求項１または２に記載のレーザ溶着構造体。
【請求項４】
前記正面カバーは、中央領域がランプ光を透過する透光領域として構成され、当該透光領域を囲む周縁部が着色された着色領域で構成される低透光領域であり、前記溶着面部は当該正面カバーの前記着色領域の背後に配置されている請求項３に記載のレーザ溶着構造体。
【発明の詳細な説明】
【技術分野】
【０００１】
本発明はレーザ光を照射して第１の部材と第２の部材を溶着したレーザ溶着構造体、例えばランプボディに正面カバーを溶着したランプハウジングに適用して好適なレーザ溶着構造体に関するものである。
【背景技術】
【０００２】
車両用ランプを製造する工程の一つに容器状をしたランプボディに透明な正面カバーを一体的に固着する工程があり、この固着する工程としてランプボディと正面カバーを溶着する技術が用いられている。この正面カバーは前面カバーと称することもあるが、ここでは正面カバーと称している。例えば、後に参照する図１（ａ），（ｂ）に示すように、正面を開口した容器状のランプボディ２と、このランプボディ２の正面開口に固着する透明な樹脂製の正面カバー３とでランプハウジング１を構成する場合に、ランプボディ２の正面開口の周縁部２１の表面に正面カバー３の内面を密着させ、この密着した領域において両者を溶着して一体化している。
【０００３】
このような溶着を行なうために、特許文献１では、ランプボディと正面カバーとを密着させた面部に対してレーザ光を照射し、レーザ光のエネルギを利用してこれらの面部を溶融させ、ランプボディと正面カバーを溶着させている。この場合、特許文献１のように、正面カバーの正面側からレーザ光を照射し、当該レーザ光を透明な正面カバーを透過させて溶着する面部（以下、溶着面部と称する）に対してレーザ光を投射する手法がとられている。
【先行技術文献】
【特許文献】
【０００４】
【特許文献１】特開２０１１−２５５６２８号公報
【発明の概要】
【発明が解決しようとする課題】
【０００５】
近年のランプは、ランプ外観上の見栄え向上を目的として、正面カバーの一部、特に周縁部を黒色あるいは車体色に着色することが行なわれている。すなわち、ランプボディと正面カバーを溶着した溶着面部が透明な正面カバーを透して外部に露見されることがあるため、この溶着面部に対向する正面カバーの一部領域を、透光率を低くした低透光率として、例えば顔料を含有させて着色した着色領域として構成することによって当該溶着面部が外部に露見されないようにしている。
【０００６】
しかしながら、正面カバーの溶着面部に対向する領域を着色すると、ランプボディと正面カバーとの溶着時に、溶着面部に向けて照射したレーザ光が、着色した領域に含有されている着色用顔料によって光吸収を受けてレーザ光のエネルギが低下され、好適な溶着が行なわれなくなる。特に、黒色に着色する場合には顔料としてカーボンブラックを用いるため、レーザ光エネルギの吸収が顕著であり、溶着が不可能になることもある。
【０００７】
本発明の目的は、溶着面部の露見を防止することが可能な着色領域等の低透光領域を備える部材をレーザ光により溶着することを可能にしたレーザ溶着構造体を提供するものである。
【課題を解決するための手段】
【０００８】
本発明は、第１の樹脂部材と、一部に透光率の低い低透光領域を一体に有する透光性のある第２の樹脂部材とをレーザ溶着した構造であって、第１の樹脂部材と第２の樹脂部材を溶着した溶着面部が低透光領域の背後に配置され、第２の樹脂部材は低透光領域以外の領域に照射されたレーザ光を当該溶着面部にまで導光する溶着脚を一体に備えている。
【０００９】
本発明において、溶着脚は、一部の面部において溶着面部に当接され、当該溶着面部にまで導光されたレーザ光により当該面部において溶着される構成とされる。
【００１０】
本発明のレーザ溶着構造体は、例えば、ランプボディと正面カバーで構成されるランプハウジングとして構成され、第１の樹脂部材は正面が開口されたランプボディであり、第２の樹脂部材は周縁部が当該ランプボディの開口縁部に溶着される正面カバーとして構成される。
【発明の効果】
【００１１】
本発明によれば、第２の樹脂部材に照射されたレーザ光は、溶着脚を透して溶着面部にまで導光され、溶着面部において第１の樹脂部材と第２の樹脂部材が溶着される。そのため、溶着面部が第２の樹脂部材を通して外部に露見されないように、溶着面部が第２の樹脂部材の低透光領域の背後に配置されている場合でも、レーザ光は溶着面部にまで導光されて好適な溶着が実現される。
【図面の簡単な説明】
【００１２】
【図１】本発明を適用したリアコンビネーションランプの正面図とＢ−Ｂ線断面図。
【図２】実施形態１〜３の図１（ｂ）のＡ部を上下左右反転した拡大断面図。
【図３】実施形態１〜３の構造を溶着する溶着装置の概略構成図。
【図４】異なる溶着装置の概略構成図。
【図５】実施形態４，５の図２と同様の拡大断面図。
【図６】リアコンビネーションランプの変形例の正面図。
【発明を実施するための形態】
【００１３】
次に、本発明の実施の形態について図面を参照して説明する。図１（ａ）は本発明のレーザ溶着構造体を自動車の右側リアコンビネーションランプに適用した実施形態の一部を破断した正面図、図１（ｂ）はそのＢ−Ｂ線断面図である。この自動車用のリアコンビネーションランプは、ランプボディ２と正面カバー３とでランプハウジング１が形成されている。このランプハウジング１には、テールランプ、ストップランプ、ターンシグナルランプあるいはバックアップランプとして機能させるための複数のＬＥＤ（発光ダイオード）ユニット４が内装されている。これらＬＥＤユニット４は公知のものを用いているので、ここでは詳細な説明は省略する。
【００１４】
前記ランプボディ２は本発明の第１の樹脂部材に相当するものであり、正面を開口した容器状に形成されており、その開口の周縁部２１の表面が溶着面部２ａとして構成されている。この溶着面部２ａはカーボンブラック等の光吸収性のある材料が含有され、加熱されたときに溶融可能な樹脂で構成されている。この実施形態ではランプボディ２の全体にカーボンブラックを含有させており、このようなランプボディ２は、例えば、カーボンブラックを含有させた樹脂を金型成形によって成形することにより形成することができる。
【００１５】
前記正面カバー３は本発明の第２の樹脂部材に相当するものであり、アウターレンズとも称されるが、透光性を有し、かつ加熱されたときに溶融可能な樹脂で形成されている。この正面カバー３は、中央領域が前記ＬＥＤユニット４から出射された光を透過させるために透光率の高い透光領域３ａとして構成される。また、この透光領域３ａの周囲を囲む領域、換言すれば前記ランプボディ２の溶着面部２ａに沿った周縁領域が所定の色で着色された着色領域３ｂとして構成されている。ここでは、前記正面カバー３は、無色透明な透光樹脂と、カーボンブラックが含有されて黒色に着色された不透光樹脂とを用いた二色成形法（多色成形法）によって形成された二色成形品として構成されている。
【００１６】
このように、前記正面カバー３は中央領域が透光領域３ａであり、その周縁が黒色に着色された着色領域３ｂとして形成されている。特に、この着色領域３ｂは透光率が透光領域３ａに比較して顕著に低くされており、正面カバー３を正面側から見たときに後面側を透視することができず、あるいは透視し難くされている。そのため、正面カバー３を透して前記溶着面部２ａを視認することができず、外部に露見されないようになっている。なお、以後は、前記正面カバー３の周縁の着色領域３ｂについては低透光領域とも称する。
【００１７】
図２（ａ）は図１（ｂ）のＡ部を上下および左右に反転させた拡大断面図であり、本発明のレーザ溶着構造体の実施形態１を示している。前記正面カバー３の透光領域３ａには、正面カバー３の後面からランプボディ２の方向に向けて突出された溶着脚３１が一体に形成されている。すなわち、正面カバー３を二色成形したときに、溶着脚３１は透光領域３ａを構成している透明な透光樹脂と一体に成形されている。
【００１８】
この溶着脚３１は透光領域３ａの一部、特に低透光領域３ｂの内周側に沿った部位から斜め外側に向けて所定の角度θで傾斜した状態で直線的に突出され、その先端面３１ａが前記低透光領域３ｂの背後に位置されている。また、当該溶着脚３１の先端面３１ａは前記ランプボディ２の溶着面部２ａの表面に密着されるように平坦面に形成されている。この溶着脚３１は、正面カバー３を正面方向から見たときには、前記低透光領域３ｂの内周に沿って無端状に近い形状に延長されている。
【００１９】
以上の構成のランプボディ２と正面カバー３の溶着方法について説明する。図３はランプボディ２と正面カバー３を溶着するための溶着装置１００の概略構成図である。レーザ光源１０１から出射されたレーザ光Ｌをガルバノミラー等の光偏向手段により任意方向に向けて偏向して照射する光偏向部１０２を備える。また、この溶着装置１００は溶着するランプボディ２を載置するワーク台１０３と、このワーク台１０３に載置したランプボディ２上に載置された正面カバー３をランプボディ２側に向けて押圧する押え板１０４を備えている。
【００２０】
そして、正面開口を上方に向けた状態でランプボディ２をワーク台１０３に載置し、その上から正面カバー３を載置する。ランプボディ２と正面カバー３を位置決めすることにより、正面カバー３の溶着脚３１の先端面３１ａはランプボディ２の周縁部２１の表面、すなわち溶着面部２ａに当接される。そして、押え板１０４によって正面カバー３を下方に押圧することにより、溶着脚３１の先端面３１ａと溶着面部２ａは密接状態とされる。
【００２１】
しかる上で、レーザ光源１０１を駆動し、光偏向部１０２において偏向制御したレーザ光Ｌを正面カバー３に対して照射し、かつ正面カバー３の周縁に沿うように走査する。このレーザ光Ｌの照射により、図２（ａ）に示したように、照射されたレーザ光Ｌは、透光領域３ａのうち、低透光領域３ｂの内周に沿った領域の正面に入射され、当該透光領域３ａを厚み方向に透過された後、溶着脚３１内にまで導光される。さらに溶着脚３１内を導光されて透過され、最終的に溶着脚３１の先端面３１ａとランプボディ２の溶着面部２ａが密着されている領域に投射される。
【００２２】
このレーザ光Ｌの投射により、ランプボディ２は含有されているカーボンブラックがレーザ光Ｌを吸収して発熱し、この熱により溶着面部２ａが溶融される。また、この発熱により正面カバー３の溶着脚３１の先端面３１ａも溶融されるため、溶着脚３１の先端面３１ａと溶着面部２ａが溶着される。これにより、ランプボディ２と正面カバー３の溶着が行なわれ、ヘッドランプハウジング１が製造される。
【００２３】
このようにして溶着されたランプハウジング１では、前記したように溶着脚３１の先端面３１ａ、換言すればランプボディ２の溶着面部２ａは、正面カバー３の低透光領域３ｂの背後に位置されている。したがって、溶着面部２ａは低透光領域３ｂにより覆い隠される状態となり、ランプを正面方向から観察したとき、すなわち正面カバー３を正面方向から観察したときには、溶着面部２ａが露見されることはなく、ランプの外観上の見栄えが向上する。
【００２４】
また、このランプハウジング１では、溶着時には正面カバー３の透光領域３ａにレーザ光Ｌを照射しており、照射されたレーザ光Ｌは正面カバー３を厚み方向に透過された後に溶着脚３１の内部を透過される。このとき、溶着脚３１が斜め外側に傾斜して突出されている角度を所定の角度θに設定しておくことにより、透過されるレーザ光Ｌは溶着脚３１の内部を直線的に導光され、あるいは一部のレーザ光は溶着脚３１の側面で内部反射（全反射）しながら溶着脚３１の先端面、すなわち溶着面部２ａにまで導光される。これにより、照射されたレーザ光Ｌは正面カバー３によって吸収あるいは減衰されることはなく、高い効率で溶着面部２ａに投射されることになり、溶着を好適に行なうことができる。
【００２５】
この実施形態１では、溶着面部２ａが露見されることがないように当該溶着面部２ａが正面カバー３の低透光領域３ｂの背後に配置されていても、溶着装置１００から出射されるレーザ光Ｌを溶着脚３１によって溶着面部２ａにまで導光することができる。これにより、レーザ光Ｌを溶着面部２ａに対して好適に投射することが可能になり、良好な溶着が実現できる。なお、前記した溶着脚３１の所定の角度θを正面カバー３における臨界角以上になるように設定しておけば、溶着面部２ａから溶着脚３１を透過して正面カバー３に向けられた光は正面カバー３の正面において全反射されるため、溶着面部２ａが正面カバー３の透光領域３ａを通して外部に露見されることも防止される。
【００２６】
図２（ｂ）は前記した溶着脚の形態を相違させた実施形態２の断面図であり、図２（ａ）と同様の断面図である。前記実施形態１は、レーザ光の投射効率を高めるために、溶着脚３１を透光領域３ａから溶着面部２ａまで直線状に斜めに延長した構成であるので、その先端面３１ａおよび溶着面部２ａは低透光領域３ｂの内縁に近い位置に配置せざるを得ない。そのため、状況によっては溶着面部２ａの一部が正面カバー３の透光領域３ａから露見されるおそれがある。
【００２７】
この実施形態２では、溶着脚３２を平行四辺形に形成し、対をなす斜面部の一方３２ａを正面カバー３の透光領域３ａに対向配置し、他方の斜面部３２ｂを溶着面部２ａに対向配置した構成としている。前記各斜面部３２ａ，３２ｂの傾斜角度は、それぞれ溶着脚３２の内部を導光されるレーザ光が斜面部３２ａ，３２ｂにおいて全反射される角度に設定されている。溶着面部２ａが正面カバー３の低透光領域３ｂの背後に配置されて当該低透光領域３ｂによって覆い隠されることは実施形態１と同じである。また、前記溶着脚３２の底面部の一部、特に前記他方の斜面部３２ｂに近い面部３２ｃが溶着面部２ａに密接されている。
【００２８】
この実施形態２によれば、図３に示した溶着装置１００のレーザ光源１０１から出射されたレーザ光Ｌは、正面カバー３の透光領域３ａから溶着脚３２に入射され、一方の斜面部３２ａにおいて全反射されて、正面カバー３の外周方向に偏向される。偏向されたレーザ光Ｌは他方の斜面部３２ｂにおいて全反射され、底面部３２ｃに向けて偏向された後、溶着面部２ａに投射される。このレーザ光Ｌの投射により溶着面部２ａでの溶着が行なわれ、正面カバー３がランプボディ２に溶着されることは実施形態１と同じである。
【００２９】
実施形態２においても、溶着面部２ａは正面カバー３の低透光領域３ｂの背後に位置されているので、ランプを正面方向から観察したときには、溶着面部２ａが正面カバー３を通して露見されることはなく、外観上の見栄えが向上する。また、溶着時に正面カバー３に照射されたレーザ光Ｌは正面カバー３によって吸収あるいは減衰されることなく高い効率で溶着面部２ａに投射されるので、溶着を好適に行なうことができる。
【００３０】
図２（ｃ）は実施形態３の溶着脚３３の断面図である。実施形態１，２は溶着面部２ａが正面カバー３の正面とほぼ平行な方向に向けられているため、溶着面部２ａの面積の大きさによっては、ランプの前方から観察したときに溶着面部２ａの一部が露見され易くなる。この実施形態３では、溶着面部２ａを正面カバー３の正面に対してほぼ直角な方向に向けており、これによりランプを前方から観察したときの溶着面部２ａの見かけ上の面積が低減され、溶着面部２ａが露見し難くされている。
【００３１】
実施形態３は、ランプボディ２の周縁部２１の内周面の一部に正面カバー３の溶着脚３３の外周面を密接させ、この密接した領域を溶着面部２ａとして構成している。これを実現するために実施形態３では、溶着脚３３を台形に形成し、斜面部３３ａを正面カバー３の透光領域３ａに対向配置し、垂直面部３３ｂをランプボディ３の周縁部２１の溶着面部２ａとしての内周面に密接させている。溶着面部２ａが正面カバー３の低透光領域３ｂの背後に配置され、溶着面部２ａが低透光領域３ｂによって覆い隠されることは実施形態１，２と同じである。
【００３２】
実施形態３によれば、溶着装置１００のレーザ光源１０１から出射されたレーザ光Ｌは、正面カバー３の透光領域３ａから溶着脚３３に入射され、斜面部３３ａにおいて全反射されて、正面カバー３の外周方向に偏向される。偏向されたレーザ光は垂直面部３３ｂ、すなわち溶着面部２ａに投射され、溶着が行なわれる。
【００３３】
実施形態３においても、溶着面部２ａは正面カバー３の低透光領域３ｂの背後に位置されているので、ランプを正面方向から観察したときには、溶着面部２ａが露見されることはなく、外観上の見栄えが向上する。特に、溶着面部２ａは正面カバー３の正面に対してほぼ直角な方向に向けられているので、ランプの前方から観察したときの溶着面部２ａの見かけ上の面積が低減され、溶着面部２ａはさらに露見され難くなっている。また、溶着時に正面カバー３に照射されたレーザ光Ｌは正面カバー３によって吸収あるいは減衰されることなく高い効率で溶着面部２ａに投射され溶着を好適に行なうことができる。
【００３４】
実施形態１，２，３は、図３に示した溶着装置１００のレーザ光源１０１および光偏向部１０２から出射されたレーザ光を正面カバー３の正面に照射しているが、図４に示す溶着装置１００Ａのように、走査されるレーザ光Ｌをワーク台１０３の周囲から中央方向に向けて反射する反射ミラー１０５を配設し、照射されたレーザ光Ｌを当該反射ミラー１０５で反射してランプボディ２の外周面側から溶着面部２ａに投射するように構成してもよい。あるいは図示は省略するが、レーザ光源１０１をワーク台１０３の周囲を移動させながらレーザ光Ｌを投射するように構成してもよい。
【００３５】
図5（ａ）はこのように構成された溶着装置１００Ａを用いて溶着を行なうランプに適用可能な実施形態４の断面図である。実施形態４は、ランプボディ２の周縁部２１の外周面の一部に正面カバー３の溶着脚３４の内側の側面３４ａを密接させ、この密接した領域を溶着面部２ａとして構成している。これを実現するために、正面カバー３の低透光領域３ｂの内面に透光性の樹脂からなる断面形状が矩形をした溶着脚３４を突出形成し、この溶着脚３４の内側の側面３４ａを溶着面部２ａとしてのランプボディ２の周縁部２１の外周面に密接させている。溶着面部２ａが正面カバー３の低透光領域３ｂの背後に配置され、低透光領域３ｂによって覆い隠されることは実施形態１〜３と同じである。
【００３６】
実施形態４によれば、溶着装置１００Ａのレーザ光源１０１から出射されたレーザ光Ｌは反射ミラー１０５で反射され、ランプボディ２の側方から溶着脚３４の外周面に入射され、溶着脚３４を厚み方向に透過されて溶着面部２ａに投射され溶着が行なわれる。レーザ光Ｌは正面カバー３に照射されることはなく、したがって正面カバー３での吸収あるいは減衰が生じることはない。特に、正面カバー３の低透光領域３ｂにおいて吸収あるいは減衰されることは全くないので、高い効率で溶着面部２ａに投射され溶着を好適に行なうことができる。
【００３７】
実施形態４においても、溶着面部２ａは正面カバー３の低透光領域３ｂの背後に位置されているので、ランプを正面方向から観察したときには、溶着面部２ａが露見されることはなく、外観上の見栄えが向上する。さらに、溶着面部２ａは正面カバー３の正面に対してほぼ直角な方向に向けられているので、ランプの前方から観察したときの溶着面部２ａの見かけ上の面積が低減され、さらに露見し難くなっている。
【００３８】
図５（ｂ）は実施形態４と同様に、図４に示した溶着装置１００Ａを用いて溶着を行なう実施形態５の断面図である。実施形態５は、実施形態４と同様に正面カバー３の低透光領域３ｂの内面に透光性の樹脂からなる溶着脚３５を突出形成しており、この溶着脚３５の外周面３５ａはほぼ垂直面として形成され、内周面は内側に向けて傾斜された斜面部３５ｂとして形成されている。また、この実施形態５では、実施形態１，２と同様に溶着脚３５が密接されるランプボディ２の周縁部２１の溶着面部２ａは、正面カバー３の正面とほぼ平行な方向に向けられている。溶着面部２ａが正面カバー３の低透光領域３ｂの背後に配置されて覆い隠されることは実施形態１〜４と同じである。
【００３９】
実施形態５によれば、溶着装置１００Ａのレーザ光源１０１から出射されたレーザ光Ｌは反射ミラー１０５で反射され、ランプボディ２の側方から溶着脚３５の外周面３５ａに入射される。入射されたレーザ光Ｌは溶着脚３５の斜面部３５ｂにおいて反射され、ランプボディ２の周縁部２１に向けられ、溶着面部２ａに投射される。これにより、溶着脚３５とランプボディ２の周縁部２１は溶着面部２ａにおいて溶着が行なわれる。
【００４０】
実施形態５においても、実施形態４と同様に、レーザ光Ｌは正面カバー３に照射されることはなく、したがって正面カバー３での吸収あるいは減衰が生じることはない。特に、正面カバー３の低透光領域３ｂにおいて吸収あるいは減衰されることは全くないので、高い効率で溶着面部２ａに投射され、溶着を好適に行なうことができる。また、溶着面部２ａは正面カバー３の低透光領域３ｂの背後に位置されているので、ランプを正面方向から観察したときには、溶着面部２ａが露見されることはなく、外観上の見栄えが向上する。
【００４１】
本発明は以上説明した実施形態の形態に限られるものではなく、溶着脚の形状、構造は適宜に変更することが可能である。特に、正面カバーに形成される低透光領域の形態に対応して溶着面部の構成やサイズ等が相違される場合には、その溶着面部の構成に対応させて溶着脚の形状やサイズを変更することが可能である。
【００４２】
例えば、図６に左側のリアコンビネーションランプ１Ａを示すように、リアコンビネーションランプを構成しているテールランプ、ストップランプ、ターンシグナルランプあるいはバックアップランプの各ランプが、自動車のリアパネル２００とリアトランクリッド２１０のそれぞれに分割して配置されている構成のリアコンビネーションランプ１Ａにも適用できる。この場合には、ランプボディはランプボディ２Ａ，２Ｂに分割され、これに対応して正面カバーは正面カバー３Ａ，３Ｂに分割される。各正面カバー３Ａ，３Ｂにはそれぞれ透光領域３ａと低透光領域３ｂが形成される。
【００４３】
このリアコンビネーションランプ１Ａでは、前記正面カバー３Ａ，３Ｂの周縁領域の一部、すなわち分割された境界領域である分割領域Ｓに臨む部位は透光領域として構成してもよい。この分割領域Ｓにおいては、透光領域を利用してレーザ光を照射してレーザ溶着を行なうようにすることも可能である。
【００４４】
実施形態では本発明のレーザ溶着構造体として、自動車のリアコンビネーションランプのランプハウジングに適用した例を示したが、ヘッドランプを含む他の照明用ランプのランプハウジング、特にランプボディに正面カバーを溶着する構造のランプハウジングに適用してもよい。また、ランプボディと正面カバー以外の第１と第２の樹脂部材をレーザ溶着するランプであれば本発明を同様に適用することができる。
【００４５】
さらに本発明は、第１の樹脂部材と第２の樹脂部材をレーザ溶着する構造であって、溶着面部が第２の樹脂部材の透光領域から露見しないようにすることが要求されるレーザ溶着構造体であれば適用することが可能である。
【符号の説明】
【００４６】
１，１Ａ  ランプハウジング（レーザ溶着構造体）
２，２Ａ，２Ｂ  ランプボディ（第１の樹脂部材）
２ａ  溶着面部
３，３Ａ，３Ｂ  正面カバー（第２の樹脂部材）
３ａ  透光領域
３ｂ  低透光領域
４  ＬＥＤユニット
２１  周縁部
３１〜３５  溶着脚
１００，１００Ａ  溶着装置
１０１  レーザ光源
１０２  偏向部
１０３  ワーク台
１０４  押え板
１０５  反射ミラー
２００  リアパネル
２１０  リアトランクリッド
【図１】
2016213008.tif 000003
【図２】
2016213008.tif 000004
【図３】
2016213008.tif 000005
【図４】
2016213008.tif 000006
【図５】
2016213008.tif 000007
【図６】
2016213008.tif 000008